(57)【要約】      （修正有）【課題】ろ材パックあるいはエアフィルタを搬送用として、何回でも繰り返し再利用できるようにしたプラスチックダンボール通函を提供する。【解決手段】ろ材パックあるいはエアフィルタを搬送する場合は組み立て状態とし、搬送後は、折り畳み状態で返送でき、何回でも繰り返し再利用できるように面ファスナー１７を使用したプラスチックダンボール通函。【選択図】図１
2012041084.tif 000002
【特許請求の範囲】
【請求項１】
ガラス繊維や合成繊維または天然繊維などで構成された不織布あるいは織布をフィルタ基材としたろ材をジグザグ状に折り畳んでひだ折り加工し、ひだ折り加工したろ材間に適宜材質のビード状接着剤を挟み込んで一体にしたろ材パックあるいは前記ろ材間に適宜材質のビード状接着剤あるいはセパレータを挟み込んで全周を接着剤で枠に気密に取り付けたエアフィルタを搬送するに際して、何回でも繰り返し再利用できるようにしたことを特徴とするろ材パックまたはエアフィルタ搬送用のプラスチックダンボール通函。
【請求項２】
マジックテープを使用して組み立て、折り畳みできるようにしたことを特徴とする請求項１のろ材パックまたはエアフィルタ搬送用のプラスチックダンボール通函。
【発明の詳細な説明】
【技術分野】
【０００１】  本発明は、ガラス繊維や合成繊維または天然繊維などで構成された不織布あるいは織布をフィルタ基材としたろ材をジグザグ状に折り畳んでひだ折り加工し、ひだ折り加工したろ材間に適宜材質のビード状接着剤を挟み込んで一体にしたろ材パックあるいは前記ろ材間に適宜材質のビード状接着剤あるいはセパレータを挟み込んで全周を接着剤で枠に気密に取り付けたエアフィルタを搬送する際に使用するプラスチックダンボール通函に関するものである。
【背景技術】
【０００２】  従来、ろ材パックまたはエアフィルタを搬送する箱は、コストを抑えるため、単価の安い紙製ダンボール箱が使用されている。そのため、強度が弱く、搬送中に傷がついたり、凹んだりして破損してしまい再び商品を運ぶ箱としては使用することができなかった。【０００３】  さらに、商品を箱に収納する際、粘着テープを使って箱の底や蓋を閉じることから、作業に手間がかかる煩わしさがある上、箱から商品を取り出すのに粘着テープを剥がした際、テープの粘着面に当たる箱の表層部がテープと一緒に剥離してしまい、外観が悪くなってしまうといった問題があった。このため、商品を一度搬送してしまうと、ごみとして廃棄処分せざるを得なかった。【０００４】  したがって、従来の紙製ダンボール箱は環境あるいはコスト面からも好ましいものではなく、好ましいろ材パックまたはエアフィルタを搬送する箱が望まれていた。
【発明の概要】
【発明が解決しょうとする課題】
【０００５】  本発明の目的は、ろ材パックまたはエアフィルタの搬送用として再利用可能にしたプラスチックダンボール通函を提供しょうとしたものである。
【０００６】  本発明のもう一つの目的は、プラスチックダンボール通函へのろ材パックまたはエアフィルタの出し入れを円滑且つ容易に行うことができるようにしたものである。
【０００７】  本発明のもう一つの目的は、プラスチックダンボール通函を再利用することによって搬送コスト牽いてはろ材パックまたはエアフィルタのトータルコストの低減を図ったものである。
【０００８】  本発明のもう一つの目的は、搬送中に傷がついたり、凹んだりして破損することなく、十分な強度および剛性を備えたプラスチックダンボール通函を提供しょうとしたものである。
【０００９】  本発明のもう一つの目的はろ材パックまたはエアフィルタの保護を確実にして搬送できるようにしたものである。
【課題を解決するための手段】
【００１０】  本発明の解決手段は、ろ材パックまたはエアフィルタを搬送するダンボール通函の素材をプラスチック製としたものである。
【００１１】  本発明のもう一つの解決手段は、プラスチックダンボール通函の適宜箇所にマジックテープをリベットで固定したものである。
【００１２】  本発明のもう一つの解決手段は、マジックテープを使用してプラスチックダンボール通函を組み立て、折り畳みできるようにしたものである。
【００１３】  本発明のもう一つの解決手段は、マジックテープでろ材パックまたはエアフィルタをプラスチックダンボール通函から出し入れできるようにしたものである。
【００１４】  ここで、プラスチックダンボール通函はポリエチレン樹脂、ポリプロピレン樹脂、ナイロン樹脂またはこれらの混合物をその原料素材としたものである。
【００１５】  そして、その作用は次の通りである。すなわち、ろ材パックまたはエアフィルタを搬送する場合は組み立て状態とし、ろ材パックまたはエアフィルタの搬送後は、折り畳み状態で返送でき、何回でも繰り返し再利用でき、無駄なく、経済的に優れ、構成簡単で十分な強度および剛性を備えた堅牢性、耐久性のある搬送用プラスチックダンボール通函である。
【発明の効果】
【００１６】（１）再利用が可能なので、搬送費のコストが削減でき、結果的にろ材パックまたはエアフィルタ価格のコストダウンに貢献できる。
（２）容易にろ材パックまたはエアフィルタの出し入れを可能にしたので、ろ材パックまたはエアフィルタを傷つけることがない。
（３）ダンボール通函をプラスチック製としたので、プラスチックダンボール通函に、ろ材パックまたはエアフィルタを収納し長期間保管しても湿気または乾燥など外気からの影響を防止できる。
（４）テープ、接着剤、ファスナーなどの接続手段を使用していないので、きわめて簡単容易に組み立てることができ、しかも解体が容易であるので再利用が可能である。
【図面の簡単な説明】
【００１７】
【図１】第１実施例のプラスチックダンボール通函の展開図
【図２】図１の展開図を組み立てたプラスチックダンボール通函に、ろ材パックを収納している状態を示す斜視図
【図３】第２実施例のプラスチックダンボール通函の展開図
【図４】図３の展開図を組み立てたプラスチックダンボール通函にエアフィルタを収納している状態を示す斜視図
【発明を実施するための形態】
【００１８】  以下、本発明の実施形態に係るろ材パックまたはエアフィルタ搬送用のプラスチックダンボール通函について添付図面に基づいて説明する。
【実施例１】
【００１９】  第１の実施形態はろ材パックまたはエアフィルタ搬送用のダンボール通函を縦置き使用した場合について添付図面を参照に説明する。【００２０】  図１にはプラスチックダンボール板Ｚを平面展開した状態を示している。そのプラスチックダンボール板Ｚはほぼ四角形状の胴板１を有し、この胴板１の折り目線Ｒ２、Ｒ３を介して側板２、側板３が連接されている。また、胴板１には折り目線Ｒ４、Ｒ５を介して外蓋板４、底板５が連接されている。【００２１】  側板２には折り目線Ｒ６、Ｒ７を介して蓋フラップ６と底フラップ７が連接されている。側板３には折り目線Ｒ８、Ｒ９を介して蓋フラップ８と底フラップ９が連接されている。また、側板３には折り目線Ｒ１０を介して胴板１０が連接されている。【００２２】  胴板１０には折り目線Ｒ１１、Ｒ１２を介して内蓋板１１、内底板１２が連接されている。また、胴板１０にはＲ１３を介して舌片１３が連接されている。
また、外蓋板４にはＲ１４を介して蓋片１４が連接されている。【００２３】  底板５の適宜位置にマジックテープ１５、１５がリベットで取り付けられている。また内底板１２には前記マジックテープ１５、１５と対応する位置にマジックテープ１６、１６がリベットで取り付けられている。【００２４】  蓋片１４の適宜位置にはマジックテープ１７、１７がリベットで取り付けられている。また、胴板１０には前記マジックテープ１７、１７と対応する位置にマジックテープ１８、１８がリベットで取り付けられている。【００２５】  底フラップ７と底フラップ９は底板５の略１／２の長さにそれぞれ形成されている。さらに、蓋フラップ６と蓋フラップ８は外蓋板４の略１／２の長さに形成されている。【００２６】  つぎに、展開状態のプラスチックダンボール板Ｚからプラスチックダンボール通函Ｗを組み立てる手順について説明する。【００２７】  まず、平面展開したプラスチックダンボール板Ｚの胴板１の折り目線Ｒ２、Ｒ３に沿って側板２，３を略直角に折り曲げる。次に側板３の折り目線Ｒ１０に沿って胴板１０を略直角に折り曲げる。さらに胴板１０の折り目線Ｒ１３に沿って舌片１３を略直角に折り曲げ、舌片１３を側板２の内面に重ね合わせて、舌片１３と側板２とをプラスチック製リベットで一体にする。これによってダンボール通函Ｗの胴体部を形成する【００２８】  次に底フラップ７、９を略直角に折り曲げたのち、その上に内底板１２を載せ、さらにその上に底板５を重ね合わせて、内底板１２のマジックテープ１６、１６に底板５のマジックテープ１５、１５を貼り合わせる。これによってプラスチックダンボール通函Ｗの底部を形成する【００２９】  最後に、蓋フラップ６、８を略直角に折り曲げたのち、その上に内蓋板１１を載せ、さらに外蓋板４を略直角に折り曲げ重ね合わせ、蓋片１４のマジックテープ１７、１７を胴板１０のマジックテープ１８、１８の上に重ね合わせて、プラスチックダンボール通函Ｗの組み立てを終了する。【００３０】  次に、ガラス繊維や合成繊維または天然繊維などで構成された不織布あるいは織布をフィルタ基材１９としたろ材をジグザグ状に折り畳んでひだ折り加工し、ひだ折り加工したろ材間に適宜材質のビード状接着剤２０を挟み込んで一体にしたろ材パックＨあるいは前記ろ材間に適宜材質のビード状接着剤２０あるいはセパレータを挟み込んで全周を接着剤で枠に気密に取り付けたエアフィルタＫをプラスチックの袋に包んだ状態でプラスチックダンボール通函Ｗに納める手順について説明する。【００３１】  まず、プラスチックダンボール通函Ｗの胴板１０のマジックテープ１８、１８から蓋片１４のマジックテープ１７、１７を取り外し、外蓋板４、内蓋板１１および蓋フラップ６、８を持ち上げることによりプラスチックダンボール通函Ｗの開口部を形成する。【００３２】  次に、プラスチックダンボール通函Ｗの開口部よりろ材パックＨをダンボール通函Ｗ内に挿入し、再び蓋片１４のマジックテープ１７、１７を胴板１０のマジックテープ１８、１８の上に重ね合わせ、プラスチックダンボール通函Ｗへのろ材パックＨの収納を完了する。
【実施例２】
【００３３】  第２の実施形態はろ材パックまたはエアフィルタ搬送用のプラスチックダンボール通函Ｗを横置きにして使用する場合について添付図面に基づいて説明する。【００３４】  図３にはプラスチックダンボール板Ｖを平面展開した状態を示している。そのプラスチックダンボール板Ｖはほぼその中央部に四角形状の底板２１を有し、この底板２１の折り目線Ｌ２、Ｌ３を介して右側板２２、左側板２３が連接されている。また底板２１の折り目線Ｌ４、Ｌ５を介して前側板２４、後側板２５が連接されている。【００３５】  また、前側板２４の折り目線Ｌ６を介して蓋板２６が、さらに後側板２５の折り目線Ｌ７を介して蓋板２７がそれぞれ連接されている。それぞれの蓋板２６、２７は底板２１の略１／２の長さにそれぞれ形成されている。【００３６】  右側板２２の折り目線Ｌ８を介して内蓋板２８が、さらに左側板２３の折り目線Ｌ９を介して内蓋板２９が連接されている。それぞれの内蓋板２８、２９は底板２１の略１／２の長さにそれぞれ形成されている。【００３７】  右側板２２の折り目線Ｌ１０、１１を介して内フラップ３０、内フラップ３１が、左側板２３の折り目線Ｌ１２、１３を介して内フラップ３２、内フラップ３３が連接されている。【００３８】  そして、内フラップ３０、３２は前側板２４の略１／２の長さにそれぞれ形成されている。また、内フラップ３１、３３は後側板２５の略１／２の長さにそれぞれ形成されている。【００３９】  内蓋板２８の適宜位置にマジックテープ３４、３４が、内蓋板２９の適宜位置にマジックテープ３５、３５がそれぞれリベットで取り付けられている。また蓋板２６には前記マジックテープ３４、３５の片方に対応する位置にマジックテープ３６、３６、蓋板２７には前記マジックテープ３４、３５の他方に対応する位置にマジックテープ３７、３７がリベットで取り付けられている。【００４０】  前側板２４の適宜位置にマジックテープ３８、３８が、後側板２５の適宜位置にマジックテープ３９、３９がそれぞれリベットで取り付けられている。また内フラップ３０、３２には前記マジックテープ３８、３８と対応する位置にマジックテープ４０、４２が、内フラップ３１、３３には前記マジックテープ３９、３９と対応する位置にマジックテープ４１、４３がリベットで取り付けられている。【００４１】  つぎに、展開状態のプラスチックダンボール板Ｖからプラスチックダンボール通函Ｗを組み立てる手順について説明する。【００４２】  まず、平面展開したプラスチックダンボール板Ｖの底板２１の折り目線Ｌ２、Ｌ３を介して右側板２２、左側板２３を略直角に折り曲げ、さらに内フラップ３０、３１、３２、３３をそれぞれの折り目線Ｌ１０、Ｌ１１、Ｌ１２、Ｌ１３を介して略直角に折り曲げる。【００４３】  次に、折り目線Ｌ４、Ｌ５を介して前側板２４、後側板２５を略直角に折り曲げ、前側板２４のマジックテープ３８、３８を内フラップ３０、３２のマジックテープ４０、４２に、後側板２５のマジックテープ３９、３９を内フラップ３１、３３のマジックテープ４１、４３にそれぞれ重ね合わせ、プラスチックダンボール通函Ｗの胴体部を形成する【００４４】  最後に、内蓋板２８、２９を略直角に折り曲げたのち、その上に蓋板２６、２７を重ね、蓋板２６のマジックテープ３６、３６の片方を内蓋板２８のマジックテープ３４、３４の片方に、蓋板２６のマジックテープ３６、３６の他方を内蓋板２９のマジックテープ３５、３５の他方に、また蓋板２７のマジックテープ３７、３７の片方を内蓋板２８のマジックテープ３４、３４の片方に蓋板２７のマジックテープ３７、３７の他方を内蓋板２９のマジックテープ３５、３５の他方にそれぞれ重ね合わせプラスチックダンボール通函Ｗの組み立てを終了する。【００４５】  次に、ろ材パックＨあるいはエアフィルタＫをプラスチックの袋に包んだ状態でプラスチックダンボール通函Ｗに納める手順について説明する。【００４６】  プラスチックダンボール通函Ｗの内蓋板２８、２９のマジックテープ３４、３５から蓋板２６．２７のマジックテープ３６、３７を取り外し、内蓋板２８、２９および蓋板２６．２７を上へ持ち上げることによりプラスチックダンボール通函Ｗの開口部を形成する。【００４７】  これにより、プラスチックダンボール通函Ｗの開口部よりエアフィルタＫを挿入し、再び蓋板２６．２７のマジックテープ３６、３７を内蓋板２８、２９のマジックテープ３４、３５の上に重ね合わせることにより、プラスチックダンボール通函ＷへのエアフィルタＫの収納を終了する。【００４８】  なお、上記実施例では１実施例を述べただけで、これに限定されることなく種々変更しても何ら本発明の要旨を変更するものではない。
【産業上の利用可能性】
【００４９】  本発明はろ材パックあるいはエアフィルタを搬送する時に使用するプラスチックダンボール通函を何回でも繰り返し再利用でき、無駄なく、経済的に優れた実用上甚だ大なるものである。
【符号の説明】
【００５０】１，１０・・・胴板          ２・・・側板          ３・・・側板
４・・・外蓋板          ５・・・底板        ６，８・・・蓋フラップ
７，９・・・底フラップ    １１・・・内蓋板    １２・・・、内底板
１３・・・舌片    １４・・・蓋片    １５〜１８・・・マジックテープ
Ｒ１〜Ｒ１４・・・折り目線      １９・・・フィルタ基材
２０・・・ビード状接着剤      ２１・・・底板      ２２・・・右側板
２３・・・左側板      ２４・・・前側板      ２５・・・後側板
２６，２７・・・蓋板      ２８，２９・・・内蓋板
３０〜３３・・・内フラップ      ３４〜４３・・・マジックテープ
Ｌ２〜Ｌ１３・・・折り目線        Ｖ、Ｚ・・・プラスチックダンボール板
Ｗ・・・プラスチックダンボール通函
Ｈ・・・ろ材パック      Ｋ・・・エアフィルタ
【図１】
2012041084.tif 000003
【図２】
2012041084.tif 000004
【図３】
2012041084.tif 000005
【図４】
2012041084.tif 000006